(57)【要約】【課題】発光素子の光を導光板に効率的に伝えることが可能な照明装置を提供する。【解決手段】複数のＬＥＤ素子１５ｂおよび取付アダプタ１００が係止されるアダプタ取付孔１１ａを備える装置本体１０と、複数のＬＥＤ素子１５ｂの光を導く導光カバー本体３１と、を備え、導光カバー本体３１には、取付アダプタ１００と対応する位置に開口部３１ｃが形成され、開口部３１ｃから挿入され、取付アダプタ１００を覆う蓋部４１と、開口部３１ｃを塞ぎ、出射部からの光を受けて外部に出射する導光キャップ４２と、を備える。【選択図】図３
2015138636.tif 000002
【特許請求の範囲】
【請求項１】
複数の発光素子およびアダプタに係止される取付孔を備える装置本体と、
前記装置本体を覆い、前記複数の発光素子の光を導く導光カバー本体と、を備え、
前記導光カバー本体には、前記アダプタと対応する位置に開口部が形成され、
前記開口部から挿入され、前記アダプタを覆う蓋部と、
前記開口部を塞ぎ、前記導光カバー本体からの光を受けて外部に出射する導光キャップと、を備えることを特徴とする照明装置。
【請求項２】
前記導光キャップは、前記蓋部を保持した状態で前記装置本体に取り付けられることを特徴とする請求項１に記載の照明装置。
【請求項３】
前記導光キャップは、筒部を有し、
前記蓋部は、前記筒部内に保持されていることを特徴とする請求項２に記載の照明装置。
【請求項４】
前記導光キャップは、前記開口部を塞ぐ板部を有し、
前記板部の端面は、前記開口部の端面と対向して配置されていることを特徴とする請求項１から請求項３のいずれか１項に記載の照明装置。
【発明の詳細な説明】
【技術分野】
【０００１】
本発明は、複数の発光素子を光源として備える照明装置に関する。
【背景技術】
【０００２】
例えば、複数の発光素子（ＬＥＤ：Light Emitting Diode）を搭載した天井照明装置（いわゆるシーリングライト）では、発光素子の光を導光板に入射させて発光させる技術が提案されている（特許文献１参照）。
【先行技術文献】
【非特許文献】
【０００３】
【特許文献１】特開２０１３−２３９２８４号公報
【発明の概要】
【発明が解決しようとする課題】
【０００４】
しかしながら、特許文献１に記載の発光素子と導光板を用いた照明装置では、発光素子と導光板の入射部との位置合せが正確でないと、光の漏れによる光学ロスや、導光板を光が導光しなくなるおそれがある。
【０００５】
本発明は、発光素子の光を導光板に確実に伝えることが可能な照明装置を提供することを目的とする。
【課題を解決するための手段】
【０００６】
本発明は、複数の発光素子およびアダプタに係止される取付孔を備える装置本体と、前記装置本体を覆い、前記複数の発光素子の光を導く導光カバー本体と、を備え、前記導光カバー本体には、前記アダプタと対応する位置に開口部が形成され、前記開口部から挿入され、前記アダプタを覆う蓋部と、前記開口部を塞ぎ、前記導光カバー本体からの光を受けて外部に出射する導光キャップと、を備えることを特徴とする。
【発明の効果】
【０００７】
本発明によれば、発光素子の光を導光板に確実に伝えることが可能な照明装置を提供できる。
【図面の簡単な説明】
【０００８】
【図１】本実施形態に係るＬＥＤ照明装置を示す外観斜視図である。
【図２】本実施形態に係るＬＥＤ照明装置を示す分解斜視図である。
【図３】本実施形態に係るＬＥＤ照明装置を示す縦断面図およびＡ部拡大図である。
【図４】センタキャップを示す分解斜視図である。
【図５】（ａ）は組付け後のセンタキャップの平面図、（ｂ）は（ａ）のＢ−Ｂ矢視断面図である。
【図６】図２のＣ部拡大図である。
【図７】センタキャップを装置本体に装着したときの状態を示す断面図である。
【発明を実施するための形態】
【０００９】
以下、本発明の実施形態に係るＬＥＤ照明装置（ＬＥＤシーリングライト）について、図面を参照して詳細に説明する。なお、本実施形態に係るＬＥＤ照明装置１（照明装置）は、例えば、家屋の天井面に設けられる引掛ローゼットや引掛シーリングなどの屋内配線器具（不図示）に係合する取付アダプタ１００（アダプタ、図１参照）を介することによって、外部電源に接続されるとともに天井面の所定位置に固定されて利用に供されるものである。
【００１０】
図１は、本実施形態に係るＬＥＤ照明装置の外観斜視図である。なお、図１は、センタキャップ４０を装着する前の状態を示している。また、図１では、紙面上側が天井側、紙面下側が床側である。
図１に示すように、ＬＥＤ照明装置１は、例えば丸型のものであり、装置本体１０、カバー部材３０、センタキャップ４０を備えて構成されている。このように、本実施形態のＬＥＤ照明装置１は、カバー部材３０が固定された装置本体１０を天井側の取付アダプタ１００に装着した後に、センタキャップ４０を装着して使用されるものである。
【００１１】
図２は、本実施形態に係るＬＥＤ照明装置の分解斜視図である。
図２に示すように、装置本体１０は、本体ベース１１、アダプタ受け部１２、電源基板１３、放熱板１４、ＬＥＤ光源基板１５、ＬＥＤカバー１６などで構成されている。
【００１２】
本体ベース１１は、鋼板（例えば、ＳＰＣＣ）を略円形状に加工成形した部品であり、凹面が床側を向くように略凹状に形成されている。また、本体ベース１１の径方向中心に部には、取付アダプタ１００が装着されるアダプタ取付孔１１ａ（取付孔）が形成されている。
【００１３】
また、本体ベース１１の上面には、リング形状のパッキン１１ｂが接着固定されている。このパッキン１１ｂによって、本体ベース１１と天井面との間の隙間が密閉されることで、外部から装置本体１０内へ塵埃などが入り込むのを防止できる。
【００１４】
アダプタ受け部１２は、難燃性を有する合成樹脂（例えば、ＰＢＴ：ポリブチレンテレフタレート樹脂）で形成され、本体ベース１１に固定されるリング形状の固定部１２ａと、この固定部１２ａの内周縁部から床側（下方）に延出する円筒部１２ｂと、を有している。円筒部１２ｂには、後記するセンタキャップ４０が係止される係止部１２ｃが複数個所（本実施形態では、２箇所）に形成されている。
【００１５】
電源基板１３は、点灯回路基板などを有し、絶縁板（不図示）を介して本体ベース１１に固定されている。なお、絶縁板は、電気絶縁性および難燃性を有する例えばポリプロピレンなどの樹脂材料で成形されている。また、電源基板１３は、本体ベース１１と後記する放熱板１４とで囲まれた放熱空間内に、電気絶縁性を維持した状態で配置される。
【００１６】
また、電源基板１３は、不図示の電線を介して、取付アダプタ１００と電気的に接続される。これにより、ＬＥＤ照明装置１は、屋内配線器具（不図示）、取付アダプタ１００、電源基板１３をそれぞれ介して、給電されるようになっている。
【００１７】
放熱板１４は、鋼板を略円形状に加工成形したものであり、例えば亜鉛メッキ鋼板などの熱伝導性の良好な金属を用いて構成されている。また、放熱板１４は、本体ベース１１よりも大径に形成され、本体ベース１１よりも径方向外側に突出するようにして本体ベース１１に固定されている。
【００１８】
また、放熱板１４の径方向の中心には、アダプタ受け部１２の円筒部１２ｂと対応する位置に円形の貫通孔１４ａが形成されている。また、放熱板１４は、貫通孔１４ａの開口縁部から天井側に向けて延出する筒部１４ｂを有している。また、放熱板１４は、筒部１４ｂの先端（上端）の一部がアダプタ受け部１２の円筒部１２ｂ内に挿入された状態で本体ベース１１に固定されている。なお、図示していないが、筒部１４ｂには、係止部１２ｃに対応する位置が切り欠かれるように形成されている。また、放熱板１４は、しぼり加工を施すことによって強度アップが図られている。
【００１９】
また、放熱板１４には、高反射塗装が施され、ＬＥＤ素子１５ｂから天井側に向かう光を床側に反射させる機能を有している。なお、放熱板１４に高反射塗装を施す構成に替えて、放熱板１４の床面側に、白色の樹脂シートからなる反射シートを配置する構成であってもよい。反射シートを用いることで、ＬＥＤ照明装置１を安価に製造することが可能になる。
【００２０】
ＬＥＤ光源基板１５は、リング形状の配線基板１５ａと、この配線基板１５ａの一面側（床面側）に円環状に配置される複数のＬＥＤ素子１５ｂ（発光素子）と、を含んで構成されている。なお、ＬＥＤ素子１５ｂは、例えば、白色系の光を放射する素子と、暖色系の光を放射する素子と、で構成され、各素子が周方向に交互に配置されることで構成されている。これにより、電球色、電球色＋昼光色、昼光色の３色の光を放射することができる。さらに、ＬＥＤ素子１５ｂに調光機構を付加することにより、さらにきめ細かな色の光を放射することが可能になる。
【００２１】
配線基板１５ａは、例えば、アルミニウム合金製の略環状の金属板に絶縁層および銅箔パターンなどを形成し、また熱伝導性の良好な樹脂（例えばポリイミド樹脂など）の平板上に銅箔パターンおよびソルダーレジストなどを形成することで構成されている。
【００２２】
ところで、前記した電源基板１３およびＬＥＤ光源基板１５は、作動することによって発熱するものである。一般に、半導体素子であるＬＥＤ素子１５ｂは、熱に弱い性質があり、また使用時には低電圧の大電流を流して高輝度発光を行うため、この発光に伴う発熱によってＬＥＤ素子１５ｂそれ自体や周囲の部材が劣化する。かかる劣化を抑制して長寿命・高信頼性を実現するには、適切な放熱を行うことが求められる。
【００２３】
本実施形態では、前記のような構成の本体ベース１１と放熱板１４とを備えることによって、放熱空間の容積を大きくし（放熱空間の空気の量を多くし）、電源基板１３およびＬＥＤ光源基板１５の放熱効率の向上を図ることができる。その結果、ＬＥＤ素子１５ｂの発光効率を高くできる。
【００２４】
ＬＥＤカバー１６は、ＬＥＤ光源基板１５の全体を覆うことができるように環状に形成されたものである。なお、ＬＥＤカバー１６は、無色透明の合成樹脂（例えば、ＰＥＴ：ポリエチレンテレフタレート樹脂）によってフィルム状に形成されている。また、ＬＥＤカバー１６は、図示しないねじを介して、ＬＥＤ光源基板１５とともに放熱板１４の外周に固定されている。
【００２５】
なお、図示していないが、ＬＥＤ照明装置１に保安灯を設けるようにしてもよい。保安灯は、例えば、暖色系のＬＥＤ素子（不図示）を、ＬＥＤ素子１５ｂの近傍に配置することによって構成できる。
【００２６】
カバー部材３０は、導光カバー本体３１、リングカバー３２、センタキャップ４０を備えて構成されている。
【００２７】
導光カバー本体３１は、複数のＬＥＤ素子１５ｂから発せられた光を床側へ導く機能と、ＬＥＤ照明装置１の最も外側（床側）に配置されて当該ＬＥＤ照明装置１のカバーとしての機能と、を有している。このように、導光カバー本体３１を最も外側に配置することによって、ＬＥＤ素子１５ｂの性能を最大限利用できる。
【００２８】
また、導光カバー本体３１は、例えば、ＰＭＭＡ（ポリメタクリル酸メチル樹脂）からなる透光性および電気絶縁性を有する樹脂を用いて、射出成形などによって一体成形されている。なお、導光カバー本体３１の材料は、ＰＭＭＡに限定されるものではなく、透光性および電気絶縁性を備えるものであればよく、ポリスチレン樹脂やポリカーボネート樹脂など他の樹脂であってもよく、また樹脂に限定されるものではなくガラスなどであってもよい。
【００２９】
また、導光カバー本体３１は、凹面が天井側を向くように皿状に形成される導光板３１ａと、導光板３１ａの外周に沿って形成されるつば部（鍔部）３１ｂと、を有して構成されている。また、導光板３１ａの径方向の中心には、鉛直方向（天井側⇔床側）に貫通する円形の開口部３１ｃが形成されている。この開口部３１ｃは、取付アダプタ１００に対応する位置、すなわち開口部３１ｃを通して天井に設置された装置本体１０から露出した取付アダプタ１００を視認することができる位置に形成されている。
【００３０】
つば部３１ｂには、導光板３１ａを放熱板１４にねじ固定するためのねじ挿通孔３１ｄが周方向に間隔を置いて複数個所に形成されている。また、つば部３１ｂには、ねじ挿通孔３１ｄと重ならない位置に、凹形状を呈する切欠き３１ｅが複数個所に形成されている。
【００３１】
リングカバー３２は、導光板３１ａのつば部３１ｂの下（床側）に重ねて配置され、床側からねじ挿通孔３１ｄと切欠き３１ｅを含めてつば部３１ｂの全体を視認できないようにするためのものである。例えば、リングカバー３２を遮光性の材料で塗装（例えば、銀色）することで、ＬＥＤ照明装置１を点灯させたときに、明暗によってつば部３１ｂを目立たなくすることが可能になる。なお、リングカバー３２を乳白色にして均一に光らせることで、光を有効利用できるようにしてもよい。
【００３２】
また、リングカバー３２には、上方（天井側）に向けて突出する突起部３２ａが前記切欠き３１ｅに対応する位置に形成されている。これにより、導光カバー本体３１を放熱板１４にねじ固定した後に、突起部３２ａを切欠き３１ｅに接着などで固定することで、リングカバー３２を導光カバー本体３１に取り付けることができる。
【００３３】
図３は、本実施形態に係るＬＥＤ照明装置を示す縦断面図およびＡ部拡大図である。
図３に示すように、導光板３１ａの内面には、複数本の溝３１ｆが同心円状に形成されている。このように、溝３１ｆを導光板３１の内面に形成することにより、溝３１ｆ内に埃などが溜まるのを防止することができ、光を安定して出射させることができる。
【００３４】
また、溝３１ｆは、導光板３１ａの外周から開口部３１ｃの近傍まで形成されている。これにより、ＬＥＤ素子１５ｂの光を導光板３１ａの全面から出射させることができる。なお、図示していないが、各溝３１ｆ内には、さらにシボ加工が施されている。これにより、溝３１ｆ内の光を拡散させることができる。
【００３５】
図３のＡ部拡大図に示すように、導光板３１ａは、ＬＥＤ素子１５ｂと対向して配置されてＬＥＤ素子１５ｂの光が入射する入射部３１ｉと、入射部３１ｉに入射された光を導光板３１ａの中心部側に導いて出射させる出射部３１ｏと、を有している。
【００３６】
入射部３１ｉは、導光板３１ａの厚み分の範囲Ｔに対応する部分であり、ＬＥＤ素子１５ｂの配列に沿って円環状に形成されている。なお、ＬＥＤ素子１５ｂの配列は、円環状に限定されるものではなく、四角形状、五角形状など他の形状に配置してもよい。
【００３７】
ところで、ＬＥＤ素子１５ｂと入射部３１ｉとの位置決めが適切に行われないと、光学ロスが発生し、また導光板３１ａに光が導光しなくなるおそれがある。このため、ＬＥＤ素子１５ｂと入射部３１ｉとの位置決めが重要になる。
【００３８】
出射部３１ｏは、入射部３１ｉから床側に向けて延出する湾曲部３１ｏ１と、湾曲部３１ｏ１に連続して形成され、水平方向に向けて円板状に形成される平板部３１ｏ２と、を有している。ＬＥＤ素子１５ｂの光が入射部３１ｉから入射されると、出射部３１ｏに導かれながら、導光板３１ａの外側（床側）に出射される。
【００３９】
図４は、センタキャップを示す分解斜視図である。
図４に示すように、センタキャップ４０は、取付アダプタ１００（図２参照）を覆い隠す蓋部４１と、導光板３１ａに形成された開口部３１ｃを塞ぐ導光キャップ４２と、を備えて構成されている。
【００４０】
蓋部４１は、円板部４１ａと、この円板部４１ａの周縁部から天井側に延出する円筒部４１ｂと、を有している。
【００４１】
円筒部４１ｂの外周面には、鉛直方向に延びる溝４１ｃ，４１ｃが形成されている。この溝４１ｃ，４１ｃは、円板部４１ａの径方向の中心を挟んで互いに対向するように配置されている。また、各溝４１ｃの上端部４１ｃ１および下端部４１ｃ２は、上方および下方に開放している。
【００４２】
また、円筒部４１ｂには、一対の爪部４１ｄ，４１ｄが形成されている。爪部４１ｄ，４１ｄは、円板部４１ａの径方向の中心を挟んで溝４１ｃとは異なる位置において互いに対向して配置されている。また、爪部４１ｄの先端は、円筒部４１ｂの外周面４１ｂ１よりも径方向外側に突出している。また、爪部４１ｄは、径方向に弾性変形可能となるように円筒部４１ｂに形成されている。
【００４３】
導光キャップ４２は、円板部４２ａと、この円板部４２ａの周縁部から天井側に延出する円筒部４２ｂと、を有している。
【００４４】
円板部４２ａには、円筒部４２ｂよりも径方向外側に突出するつば部４２ｃが形成されている。このつば部４２ｃは、センタキャップ４０を装置本体に取り付けたときに、開口部３１ｃの周縁部に当接して、センタキャップ４０の開口部３１ｃ内への挿入が規制されるようになっている。
【００４５】
円筒部４２ｂの上端部には、側面視Ｌ字形状の係止突起４２ｄ，４２ｄが上方に突出して形成されている。係止突起４２ｄ，４２ｄは、円板部４２ａの径方向の中心を挟んで互いに対向するように配置されている。また、係止突起４２ｄの先端部４２ｄ１は、円筒部４２ｂの外周面４２ｂ１よりも径方向外側に突出している。
【００４６】
また、円筒部４２ｂには、係止突起４２ｄの下方において、蓋部４１の爪部４１ｄが係止される係止孔４２ｅが形成されている。なお、図４には、一方の係止孔４２ｅを図示し、図５（ｂ）には、双方の係止孔４２ｅを図示している。
【００４７】
図５（ａ）は組付け後のセンタキャップの平面図、（ｂ）は（ａ）のＢ−Ｂ矢視断面図である。
図５（ａ）に示すように、蓋部４１の円筒部４１ｂの外径は、導光キャップ４２の内径よりも若干小さく形成され、蓋部４１が導光キャップ４２の円筒部４２ｂ内に挿入可能となるように構成されている。このとき、導光キャップ４２の凸条部４２ｆが蓋部４１の溝４１ｃ内に位置するようにして挿入される。これにより、蓋部４１の導光キャップ４２内での回転動作が規制され、爪部４１ｄを係止孔４２ｅに容易に挿入できる（図５（ｂ）参照）。なお、蓋部４１が導光キャップ４２の円筒部４２ｂの内壁面に沿って挿入されると、爪部４１ｄが弾性変形しながら挿入され、爪部４１ｄの先端が係止孔４２ｅに位置したときに、爪部４１ｄが弾性復帰して、先端部が係止孔４２ｅに挿入されることで、蓋部４１が導光キャップ４２に保持される（一体化する）。また、センタキャップ４０は、蓋部４１と導光キャップ４２とが予め組み付けられた状態でユーザに提供される。
【００４８】
図６は、図２のＣ部拡大図、図７は、センタキャップが装置本体に係止されている状態を示す断面図である。
図６に示すように、係止部１２ｃは、円筒部１２ｂの下端部の内周壁面１２ｄに形成されている。すなわち、係止部１２ｃは、正面視コ字状に形成される枠部１２ｅを有している。枠部１２ｅは、周方向に沿って延びる水平部１２ｅ１と、水平部１２ｅ１の周方向の両端から下方に延びる垂直部１２ｅ２，１２ｅ２と、を有している。垂直部１２ｅ２の下端は、円筒部１２ｂの下端と一致している。
【００４９】
また、枠部１２ｅは、周方向に幅広に形成され、周方向の略半分側に枠部１２ｅ内において、内周壁面１２ｄから径方向内側に突出する突起部１２ｆが形成されている。また、水平部１２ｅ１と突起部１２ｆに位置する円筒部１２ｂは、径方向に貫通する矩形状の貫通孔１２ｇが形成されている。なお、突起部１２ｆと一方の垂直部１２ｅ２との間には、係止突起４２ｄが挿通される挿通部１２ｈが形成されている。
【００５０】
センタキャップ４０を装置本体１０に取り付ける場合には、まず、装置本体１０を天井側に取り付けられた取付アダプタ１００に固定する（図１参照）。そして、装置本体１０から延びる電源線を取付アダプタ１００に接続する。そして、センタキャップ４０を、係止突起４２ｄを上向きにした状態で開口部３１ｃから挿入する（図２、図３参照）。このとき、係止突起４２ｄの位置と、係止部１２ｃの挿通部１２ｈの位置とを上下方向において一致させる。そして、係止突起４２ｄを、係止部１２ｃの挿通部１２ｈ（図６参照）に下側から挿通する（図６のＳ１方向）。そして、センタキャップ４０を、図６のＳ２方向に回転させることで、係止突起４２ｄが突起部１２ｆ側に移動する。これにより、図７に示すように、係止突起４２ｄの先端部４２ｄ１が突起部１２ｆの上側に位置することで、係止突起４２ｄが径方向外側に弾性復帰して、係止突起４２ｄの先端部４２ｄ１が貫通孔１２ｇ内に挿入される。これにより、センタキャップ４０が装置本体１０（円筒部１２ｂ）に係止される。このように、係止突起４２ｄの先端部４２ｄ１が貫通孔１２ｇ内に挿入されることで、センタキャップ４０が逆回転して、装置本体１０から脱落するのを防止できる。
【００５１】
また、図７に示すように、導光キャップ４２の円板部４２ａの外周端面４２ａ１が、開口部３１ｃの端面３１ｃ１と近くにおいて対向する位置にあるので、導光板３１ａの光を、導光キャップ４２に効率的（光学ロスをほとんど生じることなく）に導入することができる。その結果、中央の導光キャップ４２を、その外側の導光板３１ａとほぼ同等に発光させることができる。
【００５２】
また、センタキャップ４０を取り外す場合には、センタキャップ４０を図６のＳ２方向とは逆方向に回転させることで、係止突起４２ｄが径方向内側に弾性変形しながら貫通孔１２ｇから離脱し、係止突起４２ｄが、突起部１２ｆの側から挿通部１２ｈの側に移動する。係止突起４２ｄが挿通部１２ｈの位置まで移動することで、センタキャップ４０は自重と重力の作用によって、開口部３１ｃから抜け出るようになっている。
【００５３】
このように、本実施形態では、導光板３１ａが最も外側に位置するＬＥＤ照明装置１において、導光板３１ａの中央に開口部３１ｃを形成することで、装置本体１０とカバー部材３０をねじ止めなどで固定することができ、装置本体１０側のＬＥＤ素子１５ｂと導光板３１ａの入射部３１ｉとの位置決めを確実に行うことができる。また、蓋部４１によって取付アダプタ１００および配線ケーブルを覆い隠すことができ、導光キャップ４２によって、出射部３１ｏからの光を受けて、導光キャップ４２も光らせることができ、カバー部材３０の径方向の外側から中心までの全体を光らせることが可能になる（中心の部分が暗くなるのを防止できる）。
【００５４】
また、本実施形態では、導光キャップ４２に蓋部４１を保持させた状態で、センタキャップ４０を装置本体１０に取り付けることができるので、導光キャップ４２と蓋部４１を別々に取り付けるよりも、設置作業を簡略化できる。また、ＬＥＤ照明装置１の使用時において、蓋部４１のみが装置本体１０から脱落するといった不具合を防止できる。
【００５５】
また、本実施形態では、蓋部４１を導光キャップ４２の円筒部４２ｂ内に収容されるように保持させることで（図３参照）、導光板３１ａの上下方向（鉛直方向）の厚みを小さくすることができるので、ＬＥＤ照明装置１の薄型化を図ることができる。
【００５６】
なお、本発明は、前記した実施形態に限定されるものではなく、本発明の趣旨を逸脱しない範囲において種々変更することができる。例えば、前記した実施形態では、導光キャップ４２に蓋部４１を保持させた状態で（一体化した状態で）、装置本体１０に取り付ける構成を例に挙げて説明したが、導光キャップ４２と蓋部４１とを一体化する機構を設けることなく、蓋部４１を先に取り付けた後に、導光キャップ４２を例えば、蓋部４１に形成された係止部に係止させる構成であってもよい。
【００５７】
また、ＬＥＤ照明装置１の形状は、丸型に限定されるものではなく、四角などの角型、多角型など他の形状であってもよい。
【符号の説明】
【００５８】
１      ＬＥＤ照明装置（照明装置）
１０    装置本体
１１    本体ベース
１１ａ  アダプタ取付孔（取付孔）
１２    アダプタ受け部
１３    電源基板
１４    放熱板
１５    ＬＥＤ光源基板
１５ｂ  ＬＥＤ素子（発光素子）
１６    ＬＥＤカバー
３０    カバー部材
３１    導光カバー本体
３１ａ  導光板
３１ｂ  つば部
３１ｃ  開口部
３１ｃ１  端面
３１ｅ  切欠き
３１ｉ  入射部
３１ｏ  出射部
３２    リングカバー
４０    センタキャップ
４１    蓋部
４２    導光キャップ
４２ａ  円板部（板部）
４２ａ１  端面
４２ｂ  円筒部（筒部）
【図１】
2015138636.tif 000003
【図２】
2015138636.tif 000004
【図３】
2015138636.tif 000005
【図４】
2015138636.tif 000006
【図５】
2015138636.tif 000007
【図６】
2015138636.tif 000008
【図７】
2015138636.tif 000009